(57)【要約】【課題】新聞古紙を用いて容易に製造できると共に、使用済み時にも更に古紙として再利用可能な手提げ袋の製造方法を提供すること。【解決手段】新聞紙１０から帯形成体２０を二つ形成する帯形成体形成工程と、帯体２１を形成する帯体形成工程と、筒体２３を形成する筒体形成工程と、縦ガセット部２７を筒体２３の両側部にそれぞれ形成する縦ガセット部形成工程と、筒体２３の底部に底ガセット部３０ａを形成する底ガセット部形成工程と、有底袋状の袋体３１を形成する袋体形成工程と、袋体開口部３２を形成する袋体開口部形成工程と、取手部３３を袋体開口部３２の近傍の所定箇所に接着し、補強紙片３４を取手部３３の接着箇所を覆うように接着する取手部形成工程と、を含む。【選択図】図１０
2010105266.tif 000002
【特許請求の範囲】
【請求項１】
見開き状態の新聞紙の一組の長辺が所定間隔を空けて平行となるように当該新聞紙を谷折りして単位片を形成し、前記単位片の一組の長辺を二等分する中心線に当該単位片の一の短辺が一致するように谷折りして形成された折り返し短片部と当該折り返し短片部以外の部分である長片部とからなる帯形成体を二つ形成する帯形成体形成工程と、
二つの前記帯形成体を前記長辺の折り目が同一端部に来るように配置し、一方の前記帯形成体の前記折り返し短片部を他方の前記帯形成体の前記長片部に差し込んで相互に接着することにより帯体を形成する帯体形成工程と、
前記帯体の長手方向両端部を所定量重ね合わせて接着することにより筒体を形成する筒体形成工程と、
前記筒体の対向する面同士を密着させるように当該筒体の両側部をそれぞれ山折りして側部基準線を形成し、当該側部基準線を基準にして前記筒体の側面部の一部を当該筒体の内方に向けて襞状に折り込むことによって当該側部基準線と平行な縦ガセット部を当該筒体の両側部にそれぞれ形成する縦ガセット部形成工程と、
前記縦ガセット部が折り畳まれた状態の前記筒体の一の開口部側端部の所定量を前記側部基準線と直交するように谷折りして底部形成体を形成し、当該底部形成体に折り畳まれている前記縦ガセット部の開口部側端部を当該底部形成体の内方から外方に向けて矩形状の底部用端片部として折り起こし、更に当該底部用端片部の幅方向両端縁部にそれぞれ三角形状の三角片部が形成されるように当該底部形成体の開口部を面状に展開することによって前記筒体の底部に底ガセット部を形成する底ガセット部形成工程と、
前記開口部の展開によって前記底部用端片部の幅方向両端縁部にそれぞれ形成された一対の略等脚台形状の底片部のうち、一方の底片部を谷折りして前記底部用端片部に接着した後、他方の底片部を谷折りして前記底部用端片部及び前記一方の底片部に接着することによって有底袋状の袋体を形成する袋体形成工程と、
前記袋体の開口周縁部の所定量を当該袋体の内方に折り込んで当該袋体の内面に接着することによって袋体開口部を形成する袋体開口部形成工程と、
前記新聞紙の一部を用いて紐状に作製した取手部を前記袋体の内面であって前記袋体開口部の近傍の所定箇所に接着し、前記新聞紙の一部を用いて作製した補強紙片を前記取手部の接着箇所を覆うように接着する取手部形成工程と、
を含むことを特徴とする手提げ袋の製造方法。
【請求項２】
前記帯形成体形成工程は、前記新聞紙として見開き状態の二枚の新聞紙を四隅が一致するように重ね合わせて形成した重合片を用い、前記帯形成体を形成した後に当該重合片を分離することにより所定の折り目を有する前記帯形成体を二つ同時に形成することを特徴とする請求項１に記載の手提げ袋の製造方法。
【請求項３】
前記縦ガセット部形成工程は、前記筒体形成工程で接着されてなる接着部を前記縦ガセット部の幅方向の端部に位置させることを特徴とする請求項１又は２に記載の手提げ袋の製造方法。
【請求項４】
見開き状態の二枚の新聞紙を四隅が一致するように重ね合わせて重合片を形成する重合片形成工程と、
前記重合片の一の短辺と平行な線を谷折り線として当該重合片を谷折りし更に重ね合わせることで当該一の短辺を一辺とする略正方形状の正方形片を形成し、当該正方形片の一の対角線を谷折り線として当該正方形片を谷折りし重ね合わせることで略直角二等辺三角形状の三角片を形成する三角片形成工程と、
前記三角片の一の底角の頂部を対辺に接するように谷折りし、かつ、当該谷折りによって形成される谷折り線を底辺とすると共に当該一の底角を頂角とする三角形が略二等辺三角形となるように第１折り返し三角片部を形成して当該第１折り返し三角片部を前記三角片に接着し、
更に、前記三角片の他の一の底角の頂部を対辺に接するように谷折りし、かつ、当該谷折りによって形成される谷折り線を底辺とすると共に当該他の一の底角を頂角とする三角形が略二等辺三角形となるように第２折り返し三角片部を形成して当該第２折り返し三角片部を前記三角片及び前記第１折り返し三角片部に接着することによって有底袋状の袋体を形成する袋体形成工程と、
前記袋体の開口部を形成する略直角三角形状の一対の三角小片のうち、一方の三角小片を当該袋体の開口部の一方の外周縁部側に折り返し、かつ、当該一方の三角小片に臨む前記第２折り返し三角片部の開口部に差し込んで相互に接着すると共に、他方の三角小片を当該袋体の開口部の他方の外周縁部側に折り返し当該袋体の外面に接着することによって袋体開口部を形成する袋体開口部形成工程と、
前記新聞紙の一部を用いて紐状に作製した取手部を、前記袋体の内面であって前記袋体開口部の近傍の所定箇所に接着し、前記新聞紙の一部を用いて作製した補強紙片を前記取手部の接着箇所を覆うように接着する取手部形成工程と、
を含むことを特徴とする手提げ袋の製造方法。
【請求項５】
見開き状態の二枚の新聞紙を四隅が一致するように重ね合わせてなる重合片を二つ形成する重合片形成工程と、
一方の前記重合片の一の短辺を当該重合片の一の長辺に一致するように谷折りして重ね合わせることで略台形状の第１台形片を形成する第１台形片形成工程と、
他方の前記重合片の一の短辺を当該重合片の一の長辺に一致するように谷折りして重ね合わせることで前記第１台形片と線対称の形状となる第２台形片を形成する第２台形片形成工程と、
前記第１台形片の折り目と前記第２台形片の折り目とが重なるように前記第１台形片又は前記第２台形片のいずれか一方を他方に差し込むことによって全体形状が略直角二等辺三角形となる三角片を形成する三角片形成工程と、
前記三角片の一の底角の頂部を対辺に接するように谷折りし、かつ、当該谷折りによって形成される谷折り線を底辺とすると共に当該一の底角を頂角とする三角形が略二等辺三角形となるように第１折り返し三角片部を形成して当該第１折り返し三角片部を前記三角片に接着し、
更に、前記三角片の他の一の底角の頂部を対辺に接するように谷折りし、かつ、当該谷折りによって形成される谷折り線を底辺とすると共に当該他の一の底角を頂角とする三角形が略二等辺三角形となるように第２折り返し三角片部を形成して当該第２折り返し三角片部を前記三角片及び前記第１折り返し三角片部に接着することによって有底袋状の袋体を形成する袋体形成工程と、
前記袋体の開口部を形成する略直角三角形状の一対の三角小片のうち、一方の三角小片を当該袋体の開口部の一方の外周縁部側に折り返し、かつ、当該一方の三角小片に臨む前記第２折り返し三角片部の開口部に差し込んで相互に接着すると共に、他方の三角小片を当該袋体の開口部の他方の外周縁部側に折り返し当該袋体の外面に接着することによって袋体開口部を形成する袋体開口部形成工程と、
前記新聞紙の一部を用いて紐状に作製した取手部を、前記袋体の内面であって前記袋体開口部の近傍の所定箇所に接着し、前記新聞紙の一部を用いて作製した補強紙片を前記取手部の接着箇所を覆うように接着する取手部形成工程と、
を含むことを特徴とする手提げ袋の製造方法。
【請求項６】
前記袋体の側面部の一部を当該袋体の内方に向けて襞状に折り込むことによって当該袋体の側部に縦ガセット部を形成する縦ガセット部形成工程を含むことを特徴とする請求項５に記載の手提げ袋の製造方法。
【発明の詳細な説明】
【技術分野】
【０００１】
本発明は、新聞古紙を用いて容易に製造できると共に、使用済み時にも更に古紙として再利用可能な手提げ袋の製造方法に関する。
【背景技術】
【０００２】
従来より、デパート、商店等においては、各種の手提げ付きの紙袋が買物袋として顧客に提供されている。これらの手提げ袋は、袋本体が一重の紙からなるものが大部分であるが、強度アップやデザイン性アップの観点から、紙袋本体に樹脂をコーテング或いはラミネートしたものも提供されている（例えば、特許文献１参照）。
【０００３】
また、袋本体が紙製であって、手提げ部分がビニール等の紙以外の材質である手提げ袋が提供されている。
【特許文献１】特開２０００−８５７９６号公報
【発明の開示】
【発明が解決しようとする課題】
【０００４】
しかしながら、上記のような従来の手提げ袋は、いわゆるレジ袋と比べれば再利用されることが多いが、元々、多数回の再利用を前提として提供されていないため、耐久性に難があり、結局、使い捨てされてしまうことが多かった。
【０００５】
また、紙以外の材質が含まれる手提げ袋がゴミとして廃棄された場合、これを古紙として再利用するには分別の手間（コスト）がかかるため、結局、古紙として再利用されずに、焼却処分又は埋め立て処分されていた。
【０００６】
一方、新聞、折り込み広告、雑誌、包装紙等の古紙の回収と再利用は、パルプ原木資源の節約と国内外の森林資源の温存につながる。また、古紙を回収し再利用すれば、固形廃棄物を減らすことができ、自治体によるゴミ収集と処理への負担を軽減できる。
【０００７】
したがって、資源の有効利用や自然環境の保護の要請に応えるべく、特に、一般家庭で廃棄される量が多い新聞古紙を用いて容易に製造できると共に、使用済み時にも更に古紙として再利用可能な手提げ袋の製造方法の提供が望まれていた。
【０００８】
本発明は、上記に鑑みてなされたものであって、新聞古紙を用いて容易に製造できると共に、使用済み時にも更に古紙として再利用可能な手提げ袋の製造方法を提供することを目的とする。
【課題を解決するための手段】
【０００９】
上記目的を達成するため、本発明は、以下のような手提げ袋の製造方法を提供する。
【００１０】
（１）  見開き状態の新聞紙の一組の長辺が所定間隔を空けて平行となるように当該新聞紙を谷折りして単位片を形成し、前記単位片の一組の長辺を二等分する中心線に当該単位片の一の短辺が一致するように谷折りして形成された折り返し短片部と当該折り返し短片部以外の部分である長片部とからなる帯形成体を二つ形成する帯形成体形成工程と、二つの前記帯形成体を前記長辺の折り目が同一端部に来るように配置し、一方の前記帯形成体の前記折り返し短片部を他方の前記帯形成体の前記長片部に差し込んで相互に接着することにより帯体を形成する帯体形成工程と、前記帯体の長手方向両端部を所定量重ね合わせて接着することにより筒体を形成する筒体形成工程と、前記筒体の対向する面同士を密着させるように当該筒体の両側部をそれぞれ山折りして側部基準線を形成し、当該側部基準線を基準にして前記筒体の側面部の一部を当該筒体の内方に向けて襞状に折り込むことによって当該側部基準線と平行な縦ガセット部を当該筒体の両側部にそれぞれ形成する縦ガセット部形成工程と、前記縦ガセット部が折り畳まれた状態の前記筒体の一の開口部側端部の所定量を前記側部基準線と直交するように谷折りして底部形成体を形成し、当該底部形成体に折り畳まれている前記縦ガセット部の開口部側端部を当該底部形成体の内方から外方に向けて矩形状の底部用端片部として折り起こし、更に当該底部用端片部の幅方向両端縁部にそれぞれ三角形状の三角片部が形成されるように当該底部形成体の開口部を面状に展開することによって前記筒体の底部に底ガセット部を形成する底ガセット部形成工程と、前記開口部の展開によって前記底部用端片部の幅方向両端縁部にそれぞれ形成された一対の略等脚台形状の底片部のうち、一方の底片部を谷折りして前記底部用端片部に接着した後、他方の底片部を谷折りして前記底部用端片部及び前記一方の底片部に接着することによって有底袋状の袋体を形成する袋体形成工程と、前記袋体の開口周縁部の所定量を当該袋体の内方に折り込んで当該袋体の内面に接着することによって袋体開口部を形成する袋体開口部形成工程と、前記新聞紙の一部を用いて紐状に作製した取手部を前記袋体の内面であって前記袋体開口部の近傍の所定箇所に接着し、前記新聞紙の一部を用いて作製した補強紙片を前記取手部の接着箇所を覆うように接着する取手部形成工程と、を含むことを特徴とする。
【００１１】
（１）の発明によれば、新聞古紙を用いて容易に製造できると共に、使用済み時にも更に古紙として再利用可能な手提げ袋の製造方法を提供することができる。
【００１２】
（２）  （１）に記載の発明においては、前記帯形成体形成工程は、前記新聞紙として見開き状態の二枚の新聞紙を四隅が一致するように重ね合わせて形成した重合片を用い、前記帯形成体を形成した後に当該重合片を分離することにより所定の折り目を有する前記帯形成体を二つ同時に形成することが好ましい。
【００１３】
（２）の発明によれば、同一形状の帯形成体を迅速かつ正確に作製することができる。
【００１４】
（３）  （１）又は（２）に記載の発明においては、前記縦ガセット部形成工程は、前記筒体形成工程で接着されてなる接着部を前記縦ガセット部の幅方向の端部に位置させることが好ましい。
【００１５】
（３）の発明によれば、前記接着部が目立たなくなり、手提げ袋の見栄えを良くすることができる。
【００１６】
（４）  見開き状態の二枚の新聞紙を四隅が一致するように重ね合わせて重合片を形成する重合片形成工程と、前記重合片の一の短辺と平行な線を谷折り線として当該重合片を谷折りし更に重ね合わせることで当該一の短辺を一辺とする略正方形状の正方形片を形成し、当該正方形片の一の対角線を谷折り線として当該正方形片を谷折りし重ね合わせることで略直角二等辺三角形状の三角片を形成する三角片形成工程と、前記三角片の一の底角の頂部を対辺に接するように谷折りし、かつ、当該谷折りによって形成される谷折り線を底辺とすると共に当該一の底角を頂角とする三角形が略二等辺三角形となるように第１折り返し三角片部を形成して当該第１折り返し三角片部を前記三角片に接着し、更に、前記三角片の他の一の底角の頂部を対辺に接するように谷折りし、かつ、当該谷折りによって形成される谷折り線を底辺とすると共に当該他の一の底角を頂角とする三角形が略二等辺三角形となるように第２折り返し三角片部を形成して当該第２折り返し三角片部を前記三角片及び前記第１折り返し三角片部に接着することによって有底袋状の袋体を形成する袋体形成工程と、前記袋体の開口部を形成する略直角三角形状の一対の三角小片のうち、一方の三角小片を当該袋体の開口部の一方の外周縁部側に折り返し、かつ、当該一方の三角小片に臨む前記第２折り返し三角片部の開口部に差し込んで相互に接着すると共に、他方の三角小片を当該袋体の開口部の他方の外周縁部側に折り返し当該袋体の外面に接着することによって袋体開口部を形成する袋体開口部形成工程と、前記新聞紙の一部を用いて紐状に作製した取手部を、前記袋体の内面であって前記袋体開口部の近傍の所定箇所に接着し、前記新聞紙の一部を用いて作製した補強紙片を前記取手部の接着箇所を覆うように接着する取手部形成工程と、を含むことを特徴とする。
【００１７】
（４）の発明によれば、新聞古紙を用いて容易に製造できると共に、使用済み時にも更に古紙として再利用可能な手提げ袋の製造方法を提供することができる。
【００１８】
（５）  見開き状態の二枚の新聞紙を四隅が一致するように重ね合わせてなる重合片を二つ形成する重合片形成工程と、一方の前記重合片の一の短辺を当該重合片の一の長辺に一致するように谷折りして重ね合わせることで略台形状の第１台形片を形成する第１台形片形成工程と、他方の前記重合片の一の短辺を当該重合片の一の長辺に一致するように谷折りして重ね合わせることで前記第１台形片と線対称の形状となる第２台形片を形成する第２台形片形成工程と、前記第１台形片の折り目と前記第２台形片の折り目とが重なるように前記第１台形片又は前記第２台形片のいずれか一方を他方に差し込むことによって全体形状が略直角二等辺三角形となる三角片を形成する三角片形成工程と、前記三角片の一の底角の頂部を対辺に接するように谷折りし、かつ、当該谷折りによって形成される谷折り線を底辺とすると共に当該一の底角を頂角とする三角形が略二等辺三角形となるように第１折り返し三角片部を形成して当該第１折り返し三角片部を前記三角片に接着し、更に、前記三角片の他の一の底角の頂部を対辺に接するように谷折りし、かつ、当該谷折りによって形成される谷折り線を底辺とすると共に当該他の一の底角を頂角とする三角形が略二等辺三角形となるように第２折り返し三角片部を形成して当該第２折り返し三角片部を前記三角片及び前記第１折り返し三角片部に接着することによって有底袋状の袋体を形成する袋体形成工程と、前記袋体の開口部を形成する略直角三角形状の一対の三角小片のうち、一方の三角小片を当該袋体の開口部の一方の外周縁部側に折り返し、かつ、当該一方の三角小片に臨む前記第２折り返し三角片部の開口部に差し込んで相互に接着すると共に、他方の三角小片を当該袋体の開口部の他方の外周縁部側に折り返し当該袋体の外面に接着することによって袋体開口部を形成する袋体開口部形成工程と、前記新聞紙の一部を用いて紐状に作製した取手部を、前記袋体の内面であって前記袋体開口部の近傍の所定箇所に接着し、前記新聞紙の一部を用いて作製した補強紙片を前記取手部の接着箇所を覆うように接着する取手部形成工程と、を含むことを特徴とする。
【００１９】
（５）の発明によれば、新聞古紙を用いて容易に製造できると共に、使用済み時にも更に古紙として再利用可能な比較的大型の手提げ袋の製造方法を提供することができる。
【００２０】
（６）  （５）に記載の発明においては、前記袋体の側面部の一部を当該袋体の内方に向けて襞状に折り込むことによって当該袋体の側部に縦ガセット部を形成する縦ガセット部形成工程を含むことが好ましい。
【００２１】
（６）の発明によれば、手提げ袋への収容量が増加した場合にも容易に対応することができる。
【発明の効果】
【００２２】
本発明によれば、新聞古紙を用いて容易に製造できると共に、使用済み時にも更に古紙として再利用可能な手提げ袋の製造方法を提供することができる。
【発明を実施するための最良の形態】
【００２３】
以下に、本発明の実施形態を図面に基づいて詳細に説明する。なお、この実施形態により本発明が限定されるものではない。
〔第１実施形態〕
この第１実施形態は、広く一般に流通しているサイズの日刊紙等の新聞古紙を用いることにより、後述する図１０に示す手提げ袋４０を製造する方法を提供するものである。以下、手提げ袋４０の製造方法について図１〜図１０を参照して説明する。
【００２４】
ここで、図１は、二枚の新聞紙を重ねる重合片形成工程を示す平面図である。図２は、帯形成体形成工程を示す斜視図である。図３は、帯体形成工程及び筒体形成工程を示す斜視図である。図４は、縦ガセット部形成工程を示す斜視図である。図５は、底ガセット部形成工程を示す斜視図である。図６は、袋体形成工程を示す斜視図である。図７は、袋体開口部形成工程を示す斜視図である。図８は、取手部を形成する工程を示す斜視図である。図９は、補強紙片によって取手部を補強する工程を示す斜視図である。図１０は、手提げ袋を示す斜視図である。
【００２５】
＜重合片形成工程の説明＞
先ず、図１に示すように、古紙である見開き状態の二枚の新聞紙１０，１０を用意し、当該新聞紙１０，１０の四隅が一致するように重ね合わせて重合片１０ｐを形成する。新聞紙１０は長方形であり、短辺１１、長辺１２を有すると共に、一組の長辺１２，１２を二等分する中心線１３を有する。なお、説明の便宜上、図中の新聞紙１０には、符号Ａ及びＢを付してある。
【００２６】
＜帯形成体形成工程の説明＞
次に、図２（ａ）に示すように、この重合片１０ｐ（見開き状態の新聞紙１０）の一組の長辺１２，１２が所定間隔ｋ（例えば、１ｃｍ程度）を空けて平行となるように当該新聞紙１０を谷折りして単位片１５を形成する。この谷折り時に折り目１４が形成される。
【００２７】
次に、図２（ｂ）に示すように、単位片１５の一組の長辺１２，１２を二等分する中心線１３に当該単位片１５の一の短辺１１が一致するように谷折りして形成された折り返し短片部１８と当該折り返し短片部１８以外の部分である長片部１９とからなる帯形成体２０を二つ同時に形成する。
【００２８】
すなわち、重合片１０ｐを分離することにより、折り目１４及び谷折り線１７を有する帯形成体２０を二つ同時に形成する。このように、重合片１０ｐを用いて帯形成体２０を二つ同時に形成することにより、同一形状の帯形成体２０，２０を迅速かつ正確に作製することができる。
【００２９】
＜帯体形成工程及び筒体形成工程の説明＞
次に、図３（ａ）及び図３（ｂ）に示すように、二つの帯形成体２０，２０を、折り目１４が同一端部に来るように配置し、一方の帯形成体２０の折り返し短片部１８を他方の帯形成体２０の長片部１９に差し込んで当該差し込み部分を相互に接着することにより帯体２１を形成する。なお、接着剤としては、天然由来成分のものを使用することが好ましい。
【００３０】
次に、図３（ｂ）及び図３（ｃ）に示すように、帯体２１の長手方向両端部２２，２２の所定量ｋ２（例えば、１ｃｍ程度）を重ね合わせて接着することにより筒体２３を形成する。そして、筒体２３の対向する面２３ｂ，２３ｂ同士を密着させるように当該筒体２３の両側部をそれぞれ山折りして側部基準線２４，２４を形成する。
【００３１】
＜縦ガセット部形成工程の説明＞
次に、図４（ａ）及び図４（ｂ）に示すように、側部基準線２４を基準にして筒体２３の側面部の一部を当該筒体２３の内方に向けて襞状に折り込むことによって側部基準線２４と平行な縦ガセット部２７を筒体２３の両側部にそれぞれ形成する。すなわち、筒体２３の側部基準線２４から所定の長さｋ３（例えば、７ｃｍ程度）の位置で谷折り線２５を形成し、更にこの谷折り線２５を基準にして上記長さｋ３の半分の長さｋ４（例えば、３．５ｃｍ程度）の位置で谷折り線２６を形成する。このとき、帯体２１の長手方向両端部２２，２２を所定量重ね合わせて接着してなる接着部は、縦ガセット部２７の幅方向の端部に位置させることが好ましい。これにより、当該接着部が目立たなくなり、見栄えを良くすることができる。
【００３２】
そして、図４（ｂ）に示すように、上記谷折り線２５を山折りして山折り線２５ａを形成することで、筒体２３の一方の側面部に縦ガセット部２７を形成する。筒体２３の他方の側面部にも同様の要領で縦ガセット部２７を形成すればよい。
【００３３】
なお、上記「ガセット部」とは、袋状の包装体等において、当該袋を構成する側面或いは底面部分等を内方に向けて襞状に折り込むことにより、当該包装体の内容量が増加したときに当該襞部分が外方に広がるように形成された、いわゆる「マチ」をいう。
【００３４】
＜底ガセット部形成工程の説明＞
次に、図５（ａ）に示すように、縦ガセット部２７が折り畳まれた状態の筒体２３の一の開口部２３ａ側端部の所定長さｋ５（例えば、９ｃｍ程度）を、側部基準線２４と直交するように谷折りして底部形成体２８を形成する。
【００３５】
次に、図５（ｂ）及び図５（ｃ）に示すように、底部形成体２８に折り畳まれている縦ガセット部２７の開口部２３ａ側端部を当該底部形成体２８の内方から外方に向けて矩形状の底部用端片部２７ａとして折り起こす。そして、更に底部用端片部２７ａの幅方向両端縁部にそれぞれ三角形状の三角片部２９が形成されるように底部形成体２８の開口部２３ａを面状に展開する。これによって、筒体２３の底部に底ガセット部３０ａを形成することができる。
【００３６】
＜袋体形成工程の説明＞
次に、図６に示すように、筒体２３の開口部２３ａの展開によって底部用端片部２７ａの幅方向両端縁部にそれぞれ形成された一対の略等脚台形状の底片部３０のうち、一方の底片部３０を谷折りして底部用端片部２７ａに接着した後、他方の底片部３０を谷折りして底部用端片部２７ａ及び一方の底片部３０に接着する。これによって、有底袋状の袋体３１を形成する。なお、符号３１ａは、袋体３１の開口部である。
【００３７】
＜袋体開口部形成工程の説明＞
次に、図７に示すように、袋体３１の開口部３１ａの周縁部の所定長さｋ６（例えば、２ｃｍ程度）を袋体３１の内方に折り込んで、袋体３１の内面３１ｂに接着することによって袋体開口部３２を形成する（図９（ａ）参照）。これによって、袋体３１の開口部３１ａの体裁を整えることができる。
【００３８】
＜取手部形成工程の説明＞
次に、図８（ａ）及び（ｂ）に示すように、新聞紙１０の一部の紙片１０ａを、例えば、箸等の棒状のものに巻き付けて紐状に形成し、これを適宜の長さ（例えば、３０ｃｍ程度）に切ることによってＵ字状の取手部３３を二つ作製する。なお、紙片１０ａは、例えば、新聞紙１０の４分の１程度の大きさが好ましい。また、紙片１０ａを箸等の棒状のものに巻き付けて紐状にする際には、適宜、紙面に接着剤を塗布しながら行うことが好ましい。
【００３９】
次に、図９（ａ）に示すように、上記のように作製された取手部３３の両端部を、袋体３１の内面３１ｂであって袋体開口部３２の長手方向中心部に接着する。そして、更に、新聞紙１０の一部の紙片１０ｃを半分に折って接着して作製した補強紙片３４を、取手部３３の接着箇所を覆うように接着して補強する。
【００４０】
また、図示例を省略するが、他方の取手部３３についても同様に袋体３１に接着し、補強紙片３４にて接着し、補強する。なお、紙片１０ｃは、図９（ｂ）に示すように、新聞紙１０の２分の１程度の大きさに形成された紙片１０ｂを、更に１２分の１にカットして形成したものが好ましい。
【００４１】
このように、上記各工程を経ることによって、図１０に示すような、手提げ袋４０を簡便に製造することができる。また、手提げ袋４０に縦ガセット部２７及び底ガセット部３０ａ（図５（ｃ）参照）を設けたことにより、手提げ袋４０への収容量が増加した場合にも容易に対応することができる。
【００４２】
以上のように、この第１実施形態によれば、新聞古紙を用いて容易に製造できると共に、使用済み時にも更に古紙として再利用可能な手提げ袋４０の製造方法を提供することができる。
【００４３】
また、手提げ袋４０は、新聞紙１０を複数回重ね合わせて形成されているので、日常の買い物等の用途において十分な強度を有する。
【００４４】
また、手提げ袋４０は、新聞紙１０を素材としているので、紙面に記載された様々な文字や図形、写真等によってオリジナリティ溢れるデザイン性を有している。
【００４５】
更に、買い物等の合間に、手提げ袋４０に印刷されている様々な文字を読んだり、図形や写真等を見ることによって楽しむこともできる。
【００４６】
また、手提げ袋４０は、新聞古紙のみを利用して製造されているため、焼却処分が可能であり、廃棄に際しての環境への悪影響が少ない。
【００４７】
なお、上記第１実施形態においては、重合片１０ｐを用いて帯形成体２０を二つ同時に形成するものとして説明したが、これに限定されず、重合片１０ｐを用いずに、二つの帯形成体２０，２０を個別に形成してもよい。
〔第２実施形態〕
この第２実施形態では、古紙である新聞紙を用い、後述する図１６に示す手提げ袋６０を製造する方法について図１１〜図１６を参照して説明する。
【００４８】
ここで、図１１は、二枚の新聞紙を重ねる重合片形成工程を示す平面図である。図１２は、三角片形成工程を示す斜視図である。図１３は、袋体形成工程を示す斜視図である。図１４は、袋体開口部形成工程を示す斜視図である。図１５は、補強紙片によって取手部を補強する工程を示す斜視図である。図１６は、手提げ袋を示す正面図である。
【００４９】
＜重合片形成工程の説明＞
先ず、図１１に示すように、古紙である見開き状態の二枚の新聞紙１０，１０を用意し、当該新聞紙１０，１０の四隅が一致するように重ね合わせて重合片１０ｐを形成する。
【００５０】
＜三角片形成工程の説明＞
図１２（ａ）に示すように、先ず、後述の谷折り線４２（図１２（ｂ）参照）の形成位置を決めるために、重合片１０ｐの一の短辺１１を一の長辺１２に一致するように対角線（谷折り線）４１ａで谷折りし、略直角二等辺三角形状の三角片４１を形成する。このとき、対角線４１ａと他の一の長辺１２との交点として、点ｍが求まる。上記点ｍが求まったら、上記三角片４１を一旦元通りに開く。
【００５１】
そして、図１２（ｂ）に示すように、重合片１０ｐの一の短辺１１と平行となるように、上記点ｍの位置における谷折り線４２で重合片１０ｐを谷折りして重ね合わせることで、当該一の短辺１１を一辺とする略正方形状の正方形片４３を形成する。
【００５２】
次に、図１２（ｃ）に示すように、正方形片４３の一の対角線４１ａ（図１２（ｂ）参照）を谷折り線として当該正方形片４３を谷折りし重ね合わせることで略直角二等辺三角形状の三角片４１を形成する。
【００５３】
＜袋体形成工程の説明＞
次に、図１３（ａ）に示すように、三角片４１の一の底角の頂部４４を対辺４５に接するように谷折りし、かつ、当該谷折りによって形成される谷折り線４６を底辺とすると共に当該一の底角を頂角とする三角形が略二等辺三角形となるように第１折り返し三角片部４７を形成して、当該第１折り返し三角片部４７を三角片４１に接着する。
【００５４】
次に、図１３（ｂ）に示すように、三角片４１の他の一の底角の頂部４８を対辺４９に接するように谷折りし、かつ、当該谷折りによって形成される谷折り線５０を底辺とすると共に当該他の一の底角を頂角とする三角形が略二等辺三角形となるように第２折り返し三角片部５１を形成する。
【００５５】
そして、更に当該第２折り返し三角片部５１を三角片４１及び第１折り返し三角片部４７に接着することによって有底袋状の袋体５２を形成する。なお、袋体５２の頂部には、開口部５３を挟む略直角三角形状の一対の三角小片５４ａ，５４ｂが形成されている。
【００５６】
＜袋体開口部形成工程の説明＞
次に、図１４（ａ）に示すように、一対の三角小片５４ａ，５４ｂのうち、一方の三角小片５４ａを袋体５２の開口部５３の一方の外周縁部側に折り返し、かつ、当該一方の三角小片５４ａに臨む第２折り返し三角片部５１の開口部５１ａに差し込んで相互に接着する。
【００５７】
また、図１４（ｂ）に示すように、他方の三角小片５４ｂを、袋体５２の開口部５３の他方の外周縁部側に折り返し、当該袋体５２の外面５２ａに接着する。これによって、袋体５２には、袋体開口部５５が形成される。
【００５８】
＜取手部形成工程の説明＞
次に、図１５に示すように、上記第１実施形態の場合（図８参照）と同様に作製した取手部３３の両端部を、袋体５２の内面であって袋体開口部５５の長手方向中心部に接着する。そして、更に、新聞紙１０の一部の紙片１０ｃを半分に折って接着して作製した補強紙片３４を、取手部３３の接着箇所を覆うように接着して補強する。また、図示例を省略するが、他方の取手部３３についても同様に袋体５２に接着し、補強紙片３４にて接着し、補強する。
【００５９】
このように、上記各工程を経ることによって、図１６に示すような、手提げ袋６０を簡便に製造することができる。
【００６０】
以上のように、この第２実施形態によれば、新聞古紙を用いて容易に製造できると共に、使用済み時にも更に古紙として再利用可能な手提げ袋６０の製造方法を提供することができる。
【００６１】
また、手提げ袋６０は、新聞紙１０を複数回重ね合わせて形成されているので、日常の買い物等の用途において十分な強度を有する。
【００６２】
また、手提げ袋６０は、新聞紙１０を素材としているので、紙面に記載された様々な文字や図形、写真等によってオリジナリティ溢れるデザイン性を有している。
【００６３】
更に、買い物等の合間に、手提げ袋６０に印刷されている様々な文字を読んだり、図形や写真等を見ることによって楽しむこともできる。
【００６４】
また、手提げ袋６０は、新聞古紙のみを利用して製造されているため、焼却処分が可能であり、廃棄に際しての環境への悪影響が少ない。
【００６５】
なお、上記第２実施形態においては、図１２（ａ）に示したように、先ず、三角片４１を折って、点ｍを求めてから、図１２（ｂ）に示す正方形片４３を形成するものとして説明したが、これに限定されず、図１２（ａ）に示した工程を省略して、定規等で採寸して直接、正方形片４３を形成した後、図１２（ｃ）に示した工程を行ってもよい。
〔第３実施形態〕
この第３実施形態では、古紙である新聞紙を用い、後述する図２２（ｂ）に示す手提げ袋８０を製造する方法について図１７〜図２２を参照して説明する。
【００６６】
ここで、図１７は、二枚の新聞紙を重ねた重合片を二つ形成する重合片形成工程を示す平面図である。図１８は、三角片形成工程を示す斜視図である。図１９は、袋体形成工程を示す斜視図である。図２０は、袋体開口部形成工程を示す斜視図である。図２１は、補強紙片によって取手部を補強する工程を示す斜視図である。図２２は、縦ガセット部形成工程を経た手提げ袋を示す正面図である。
【００６７】
＜重合片形成工程の説明＞
先ず、図１７に示すように、古紙である見開き状態の４枚の新聞紙１０を用意し、当該新聞紙１０，１０の四隅が一致するように重ね合わせて重合片１０ｐを二つ形成する。
【００６８】
＜三角片形成工程の説明＞
図１８（ａ）に示すように、一方の重合片１０ｐの一の短辺１１を当該重合片１０ｐの一の長辺１２に一致するように谷折りして三角片部６２を形成し、当該三角片部６２を重合片１０ｐに重ね合わせることで略台形状の第１台形片６１を形成する。
【００６９】
次に、図１８（ｂ）に示すように、他方の重合片１０ｐの一の短辺１１を当該重合片１０ｐの一の長辺１２に一致するように谷折りして三角片部６４を形成し、当該三角片部６４を重合片１０ｐに重ね合わせることで第１台形片６１と線対称の形状となる第２台形片６３を形成する。
【００７０】
次に、図１８（ａ）及び図１８（ｂ）に示すように、第１台形片６１の折り目６２ａと第２台形片６３の折り目６４ａとが重なるように、第１台形片６１の三角片部６２に第２台形片６３を差し込むことによって全体形状が略直角二等辺三角形となる三角片６５を形成する。
＜袋体形成工程の説明＞
次に、図１９（ａ）に示すように、三角片６５の一の底角の頂部６３ａを対辺６６に接するように谷折りし、かつ、当該谷折りによって形成される谷折り線６７を底辺とすると共に当該一の底角を頂角とする三角形が略二等辺三角形となるように第１折り返し三角片部６８を形成して、当該第１折り返し三角片部６８を三角片６５に接着する。
【００７１】
次に、図１９（ｂ）に示すように、三角片６５の他の一の底角の頂部６１ａを対辺６９に接するように谷折りし、かつ、当該谷折りによって形成される谷折り線７０を底辺とすると共に当該他の一の底角を頂角とする三角形が略二等辺三角形となるように第２折り返し三角片部７１を形成する。
【００７２】
そして、更に当該第２折り返し三角片部７１を三角片６５及び第１折り返し三角片部６８に接着することによって有底袋状の袋体７２を形成する。なお、袋体７２の頂部には、開口部７３を挟む略直角三角形状の一対の三角小片７４ａ，７４ｂが形成されている。
【００７３】
＜袋体開口部形成工程の説明＞
次に、図２０（ａ）に示すように、袋体７２の開口部７３を形成する略直角三角形状の一対の三角小片７４ａ，７４ｂのうち、一方の三角小片７４ａを当該袋体７２の開口部７３の一方の外周縁部側に折り返し、かつ、当該一方の三角小片７４ａに臨む第２折り返し三角片部７１の開口部７１ａに差し込んで相互に接着する。
【００７４】
また、図２０（ｂ）に示すように、他方の三角小片７４ｂを、当該袋体７２の開口部７３の他方の外周縁部側に折り返し、当該袋体７２の外面７２ａに接着する。これによって袋体７２には、袋体開口部７５が形成される。
＜取手部形成工程の説明＞
次に、図２１（ａ）に示すように、上記第１実施形態の場合（図８参照）と同様に作製した取手部３３の両端部を、袋体７２の内面であって袋体開口部７５の長手方向中心部に接着する。なお、取手部３３の長さは、３５ｃｍ程度であることが好ましい。
【００７５】
そして、更に、新聞紙１０の一部の紙片１０ｅを半分に折って接着して作製した補強紙片３４ａを、取手部３３の接着箇所を覆うように接着して補強する。また、図示例を省略するが、他方の取手部３３についても同様に袋体７２に接着し、補強紙片３４ａにて接着し、補強する。なお、紙片１０ｅは、図２１（ｂ）に示すように、新聞紙１０の２分の１程度の大きさに形成された紙片１０ｄを、更に６分の１にカットして形成したものが好ましい。
【００７６】
＜縦ガセット部形成工程の説明＞
次に、図２２（ａ）及び図２２（ｂ）に示すように、袋体７２の一部の側面部７６を、所定の折り込み線７６ａを基準にして袋体７２の内方に向けて襞状に折り込むことによって、袋体７２の両側部に縦ガセット部７７をそれぞれ形成する。
【００７７】
このように、上記各工程を経ることによって、図２２（ｂ）に示すような、縦ガセット部７７，７７を有する比較的大型の手提げ袋８０を簡便に製造することができる。
【００７８】
以上のように、この第３実施形態によれば、新聞古紙を用いて容易に製造できると共に、使用済み時にも更に古紙として再利用可能な比較的大型の手提げ袋８０の製造方法を提供することができる。
【００７９】
また、手提げ袋８０は、新聞紙１０を複数回重ね合わせて形成されているので、日常の買い物等の用途において十分な強度を有する。
【００８０】
また、手提げ袋８０は、新聞紙１０を素材としているので、紙面に記載された様々な文字や図形、写真等によってオリジナリティ溢れるデザイン性を有している。
【００８１】
更に、買い物等の合間に、手提げ袋８０に印刷されている様々な文字を読んだり、図形や写真等を見ることによって楽しむこともできる。
【００８２】
また、手提げ袋８０は、新聞古紙のみを利用して製造されているため、焼却処分が可能であり、廃棄に際しての環境への悪影響が少ない。
【００８３】
なお、上記第３実施形態においては、第１台形片６１に第２台形片６３を差し込むことによって三角片６５を形成するものとして説明したが、これに限定されず、例えば、第２台形片６３に第１台形片６１を差し込むことによって三角片６５を形成してもよい。この場合も上記実施形態の場合と同様の効果を期待できる。
【００８４】
また、上記第３実施形態においては、袋体７２の両側部に縦ガセット部７７を設ける縦ガセット部形成工程を含むものとして説明したが、これに限定されず、縦ガセット部形成工程を含まなくてもよい。この場合、図２２（ａ）に示すような縦ガセット部７７を有しない手提げ袋８０を製造することができる。
【００８５】
また、上記第１実施形態、第２実施形態及び第３実施形態においては、各工程の説明で接着剤による接着箇所を示したが、接着箇所はこれらに限定されず、新聞紙１０の重ね合わせ箇所等を必要に応じて適宜、接着してもよい。
【００８６】
また、上記第１実施形態、第２実施形態及び第３実施形態においては、古紙である新聞紙１０として、広く一般に流通しているサイズの日刊紙等を用いるものとして説明したが、これに限定されず、他のサイズの新聞紙に本発明を適用することもできる。また、新聞紙のみならず、広告紙、包装紙等その他の古紙や、これらの任意の組み合わせに本発明を適用することもできる。これらの場合も上記実施形態の場合と同様の効果を期待できる。
【図面の簡単な説明】
【００８７】
【図１】二枚の新聞紙を重ねる重合片形成工程を示す平面図である。
【図２】帯形成体形成工程を示す斜視図である。
【図３】帯体形成工程及び筒体形成工程を示す斜視図である。
【図４】縦ガセット部形成工程を示す斜視図である。
【図５】底ガセット部形成工程を示す斜視図である。
【図６】袋体形成工程を示す斜視図である。
【図７】袋体開口部形成工程を示す斜視図である。
【図８】取手部を形成する工程を示す斜視図である。
【図９】補強紙片によって取手部を補強する工程を示す斜視図である。
【図１０】手提げ袋を示す斜視図である。
【図１１】二枚の新聞紙を重ねる重合片形成工程を示す平面図である。
【図１２】三角片形成工程を示す斜視図である。
【図１３】袋体形成工程を示す斜視図である。
【図１４】袋体開口部形成工程を示す斜視図である。
【図１５】補強紙片によって取手部を補強する工程を示す斜視図である。
【図１６】手提げ袋を示す正面図である。
【図１７】二枚の新聞紙を重ねた重合片を二つ形成する重合片形成工程を示す平面図である。
【図１８】三角片形成工程を示す斜視図である。
【図１９】袋体形成工程を示す斜視図である。
【図２０】袋体開口部形成工程を示す斜視図である。
【図２１】補強紙片によって取手部を補強する工程を示す斜視図である。
【図２２】縦ガセット部形成工程を経た手提げ袋を示す正面図である。
【符号の説明】
【００８８】
１０  新聞紙
１０ｐ  重合片
１１  短辺
１２  長辺
１３  中心線
１４  折り目
１５  単位片
１７  谷折り線
１８  折り返し短片部
１９  長片部
２０  帯形成体
２１  帯体
２２  長手方向両端部
２３  筒体
２３ａ  開口部
２３ｂ  対向する面
２４  側部基準線
２５  谷折り線
２５ａ  山折り線
２６  谷折り線
２７  縦ガセット部
２７ａ  底部用端片部
２８  底部形成体
２９  三角片部
３０  底片部
３０ａ  底ガセット部
３１  袋体
３１ａ  開口部
３１ｂ  内面
３２  開口部
３３  取手部
３４，３４ａ  補強紙片
４１  三角片
４１ａ  対角線
４２  谷折り線
４３  正方形片
４４  頂部
４５  対辺
４６  谷折り線
４７  三角片部
４８  頂部
４９  対辺
５０  谷折り線
５１  三角片部
５１ａ  開口部
５２  袋体
５２ａ  外面
５３  開口部
５４ａ，５４ｂ  三角小片
５５  袋体開口部
６１  第１台形片
６１ａ  頂部
６２  三角片部
６２ａ  折り目
６３  第２台形片
６３ａ  頂部
６４  三角片部
６４ａ  折り目
６５  三角片
６６  対辺
６７  谷折り線
６８  三角片部
６９  対辺
７０  谷折り線
７１  三角片部
７１ａ  開口部
７２  袋体
７２ａ  外面
７３  開口部
７４ａ，７４ｂ  三角小片
７５  袋体開口部
７６  側面部
７６ａ  折り込み線
７７  縦ガセット部
【図１】
2010105266.tif 000003
【図２】
2010105266.tif 000004
【図３】
2010105266.tif 000005
【図４】
2010105266.tif 000006
【図５】
2010105266.tif 000007
【図６】
2010105266.tif 000008
【図７】
2010105266.tif 000009
【図８】
2010105266.tif 000010
【図９】
2010105266.tif 000011
【図１０】
2010105266.tif 000012
【図１１】
2010105266.tif 000013
【図１２】
2010105266.tif 000014
【図１３】
2010105266.tif 000015
【図１４】
2010105266.tif 000016
【図１５】
2010105266.tif 000017
【図１６】
2010105266.tif 000018
【図１７】
2010105266.tif 000019
【図１８】
2010105266.tif 000020
【図１９】
2010105266.tif 000021
【図２０】
2010105266.tif 000022
【図２１】
2010105266.tif 000023
【図２２】
2010105266.tif 000024